【手続補正書】
【提出日】平成17年6月14日(2005.6.14)
【手続補正１】
【補正対象書類名】明細書
【補正対象項目名】発明の名称
【補正方法】変更
【補正の内容】
【発明の名称】印刷制御方法、印刷データ処理方法、印刷装置の制御方法、印刷システム、情報処理装置及び印刷装置
【手続補正２】
【補正対象書類名】明細書
【補正対象項目名】特許請求の範囲
【補正方法】変更
【補正の内容】
【特許請求の範囲】
【請求項１】
印刷データに対する色処理機能を有するホスト装置と該色処理機能を有する印刷装置とが接続されて構成された印刷システムにおける印刷制御方法であって、
前記ホスト装置の色処理機能と前記印刷装置の色処理機能のいずれかを選択する選択工程と、
前記選択工程で選択された色処理機能を用いて印刷データを色処理する処理工程とを備えることを特徴とする印刷制御方法。
【請求項２】
ユーザ指示に応じて前記ホスト装置の色処理機能を用いるか前記印刷装置の色処理機能を用いるかを設定する設定工程を更に備え、
前記選択工程は、前記設定工程による設定に従って色処理機能を選択することを特徴とする請求項１に記載の印刷制御方法。
【請求項３】
前記選択工程は、各オブジェクトの属性に基づいて、各オブジェクト毎に使用すべき色処理機能を選択することを特徴とする請求項１に記載の印刷制御方法。
【請求項４】
前記選択工程は、各オブジェクトが圧縮か非圧縮かを判定し、圧縮されたオブジェクトの場合は前記印刷装置の色処理機能を選択し、非圧縮のオブジェクトの場合は前記ホスト装置の色処理機能を選択することを特徴とする請求項１に記載の印刷制御方法。
【請求項５】
前記選択工程は、ＪＰＥＧイメージのオブジェクトの場合は前記印刷装置の色処理機能を選択し、その他のオブジェクトの場合は前記ホスト装置の色処理機能を選択することを特徴とする請求項１に記載の印刷制御方法。
【請求項６】
印刷データに対する色処理機能を有する印刷装置を接続可能な情報処理装置における印刷データ処理方法であって、
前記情報処理装置の有する色処理機能と前記印刷装置の色処理機能のいずれかを選択する選択工程と、
前記選択工程で選択された色処理機能を用いて印刷データを色処理するべく制御する処理工程とを備えることを特徴とする印刷データ処理方法。
【請求項７】
ユーザ指示に応じて前記情報処理装置の色処理機能を用いるか前記印刷装置の色処理機能を用いるかを設定する設定工程を更に備え、
前記選択工程は、前記設定工程による設定に従って色処理機能を選択することを特徴とする請求項６に記載の印刷データ処理方法。
【請求項８】
前記選択工程は、各オブジェクトの属性に基づいて、各オブジェクト毎に使用すべき色処理機能を選択することを特徴とする請求項６に記載の印刷データ処理方法。
【請求項９】
前記選択工程は、各オブジェクトが圧縮か非圧縮かを判定し、圧縮されたオブジェクトの場合は前記印刷装置の色処理機能を選択し、非圧縮のオブジェクトの場合は前記ホスト装置の色処理機能を選択することを特徴とする請求項６に記載の印刷データ処理方法。
【請求項１０】
前記選択工程は、ＪＰＥＧイメージのオブジェクトの場合は前記印刷装置の色処理機能を選択し、その他のオブジェクトの場合は前記ホスト装置の色処理機能を選択することを特徴とする請求項６に記載の印刷データ処理方法。
【請求項１１】
色処理機能を有する印刷装置の制御方法であって、
受信した印刷対象のオブジェクトが色処理済か否かを判定する判定工程と、
色処理済と判定されたオブジェクトについて前記色処理機能による色処理を実行する実行工程とを備えることを特徴とする印刷装置の制御方法。
【請求項１２】
前記判定工程は、各オブジェクトの属性に基づいて、各オブジェクト毎に色処理済か否かを判定することを特徴とする請求項１１に記載の印刷装置の制御方法。
【請求項１３】
前記判定工程は、各オブジェクトが圧縮か非圧縮かを判定し、圧縮されたオブジェクトの場合は色処理済みでないと判定し、非圧縮のオブジェクトの場合は色処理済であると判定することを特徴とする請求項１１に記載の印刷装置の制御方法。
【請求項１４】
前記判定工程は、オブジェクトがＪＰＥＧイメージであった場合は当該オブジェクトは色処理済みでないと判定し、その他のオブジェクトの場合は色処理済であると判定することを特徴とする請求項１１に記載の印刷装置の制御方法。
【請求項１５】
印刷データに対する色処理機能を有するホスト装置と該色処理機能を有する印刷装置とが接続されて構成された印刷システムであって、
前記ホスト装置の色処理機能と前記印刷装置の色処理機能のいずれかを選択する選択手段と、
前記選択手段で選択された色処理機能を用いて印刷データを色処理する処理手段とを備えることを特徴とする印刷システム。
【請求項１６】
印刷データに対する色処理機能を有する印刷装置を接続可能な情報処理装置であって、
前記情報処理装置の有する色処理機能と前記印刷装置の色処理機能のいずれかを選択する選択手段と、
前記選択手段で選択された色処理機能を用いて印刷データを色処理するべく制御する処理手段とを備えることを特徴とする情報処理装置。
【請求項１７】
色処理機能を有する印刷装置であって、
受信した印刷対象のオブジェクトが色処理済か否かを判定する判定手段と、
色処理済と判定されたオブジェクトについて前記色処理機能による色処理を実行する実行手段とを備えることを特徴とする印刷装置。
【請求項１８】
印刷データに対する色処理機能を有する印刷装置を接続可能な情報処理装置における印刷データ処理方法をコンピュータに実行させる制御プログラムであって、前記印刷データ処理方法が、
前記情報処理装置の有する色処理機能と前記印刷装置の色処理機能のいずれかを選択する選択工程と、
前記選択工程で選択された色処理機能を用いて印刷データを色処理するべく制御する処理工程とを備えることを特徴とする制御プログラム。
【請求項１９】
色処理機能を有する印刷装置における制御方法をコンピュータに実行させる制御プログラムであって、前記制御方法が、
受信した印刷対象のオブジェクトが色処理済か否かを判定する判定工程と、
色処理済と判定されたオブジェクトについて前記色処理機能による色処理を実行する実行工程とを備えることを特徴とする制御プログラム。
【手続補正３】
【補正対象書類名】明細書
【補正対象項目名】０００６
【補正方法】変更
【補正の内容】
【０００６】
上記の目的を達成するための本発明による印刷制御方法は、
印刷データに対する色処理機能を有するホスト装置と該色処理機能を有する印刷装置とが接続されて構成された印刷システムにおける印刷制御方法であって、
前記ホスト装置の色処理機能と前記印刷装置の色処理機能のいずれかを選択する選択工程と、
前記選択工程で選択された色処理機能を用いて印刷データを色処理する処理工程とを備える。
また、本発明の他の態様による、印刷データ処理方法は、
印刷データに対する色処理機能を有する印刷装置を接続可能な情報処理装置における印刷データ処理方法であって、
前記情報処理装置の有する色処理機能と前記印刷装置の色処理機能のいずれかを選択する選択工程と、
前記選択工程で選択された色処理機能を用いて印刷データを色処理するべく制御する処理工程とを備える。
さらに、本発明の他の態様による印刷装置の制御方法は、
色処理機能を有する印刷装置の制御方法であって、
受信した印刷対象のオブジェクトが色処理済か否かを判定する判定工程と、
色処理済と判定されたオブジェクトについて前記色処理機能による色処理を実行する実行工程とを備える。